【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
電子装置と、電子装置に対して着脱可能に装着されるユニットとを含む電子システムであって、
前記電子装置は、
送信対象のデータを固定長の第１のサブデータへと分割する分割手段と、
前記第１のサブデータの終了位置を表すための終了識別子を前記第１のサブデータに付加してパケットを生成する生成手段と、
生成された前記パケットを前記ユニットに送信する第１の送信手段と、
前記ユニットから送信される第２のサブデータ又はデータ誤りを示すデータを受信する第１の受信手段と、
前記第１の受信手段により前記第２のサブデータを受信した場合、前記第１のサブデータと前記第２のサブデータを比較し、前記ユニットの認証処理を実行し、前記第１の受信手段により前記データ誤りを示すデータを受信した場合、前記ユニットの認証処理を実行しない認証手段とを有し、
前記ユニットは、
前記パケットを受信する第２の受信手段と、
受信した前記パケットに含まれる終了識別子に基づいて、第１のデータ誤り検出を行なう検出手段と、
前記検出手段によってデータ誤りが検出されなかった場合、受信した前記パケットから取り出された第１のサブデータを、前記ユニットを認証するための第２のサブデータに変換するデータ変換手段と、
前記検出手段によってデータ誤りが検出されなかった場合、前記ユニットを認証するための前記第２のサブデータを前記電子装置に送信し、前記データ誤りが検出された場合、データ誤りを示すデータを前記電子装置に送信する第２の送信手段とを有することを特徴とする電子システム。
【請求項２】
前記第１のデータ誤り検出は、データシフトエラー又はバースト誤りを検出する処理であることを特徴とする請求項１に記載の電子システム。
【請求項３】
前記電子装置の前記生成手段は、冗長データを含むパケットを生成し、
前記ユニットの前記検出手段は、受信した前記パケットに含まれる冗長データに基づいて、第２のデータ誤り検出を行なうことを特徴とする請求項１又は２に記載の電子システム。
【請求項４】
前記第２のデータ誤り検出は、ランダム誤りを検出する処理であることを特徴とする請求項３に記載の電子システム。
【請求項５】
前記電子装置における前記第１の送信手段は、前記ユニットに動作クロックを供給するための信号とともに前記パケットを送信することを特徴とする請求項１乃至４のいずれか１項に記載の電子システム。
【請求項６】
前記第１の送信手段による前記動作クロックの供給は、前記第１の送信手段によるパケットの送信と、前記第２の送信手段による第２のサブデータの送信との間の期間に行われることを特徴とする請求項５に記載の電子システム。
【請求項７】
前記第２の受信手段は、受信したパケットを保持するためのレジスタと、
前記動作クロックを供給するための信号に誤りが検出されたときに、前記レジスタを初期化する初期化手段とをさらに含むことを特徴とする請求項５又は６に記載の電子システム。
【請求項８】
ユニットが着脱可能に装着される電子装置であって、
送信対象のデータを固定長の第１のサブデータへと分割する分割手段と、
前記第１のサブデータの終了位置を表すための終了識別子を前記第１のサブデータに付加してパケットを生成する生成手段と、
生成された前記パケットを前記ユニットに送信する送信手段と、
前記ユニットから送信される第２のサブデータを受信する受信手段と、
前記第１のサブデータと前記第２のサブデータを比較し、前記ユニットを認証する認証手段と、を有することを特徴とする電子装置。
【請求項９】
送信対象のデータを固定長の第１のサブデータへと分割し、前記第１のサブデータの終了位置を表すための終了識別子を前記第１のサブデータに付加してパケットを生成する生成手段を備えた電子装置に着脱可能なユニットであって、
前記パケットを受信する受信手段と、
受信した前記パケットに含まれる前記終了識別子に基づいて、データ誤り検出を行う検出手段と、
前記検出手段によって前記データ誤りが検出されなかった場合、受信した前記パケットから取り出された第１のサブデータを、前記ユニットを認証するための第２のサブデータに変換するデータ変換手段と、
前記検出手段によってデータ誤りが検出されなかった場合、前記ユニットを認証するための前記第２のサブデータを前記電子装置に送信し、前記データ誤りが検出された場合、データ誤りを示すデータを前記電子装置に送信する送信手段とを含むことを特徴とするユニット。
【請求項１０】
電子装置に対して着脱可能に装着されるユニットを認証する認証方法であって、
前記電子装置において、送信対象のデータを固定長の第１のサブデータへと分割するステップと、
前記第１のサブデータの終了位置を表すための終了識別子を前記第１のサブデータに付加してパケットを生成するステップと、
生成された前記パケットを前記ユニットに送信するステップと、
前記ユニットにおいて、前記パケットを受信するステップと、
受信した前記パケットに含まれる終了識別子に基づいて第１のデータ誤り検出を行なう検出ステップと、
データ誤りが検出されなかった場合、受信した前記パケットから取り出された第１のサブデータを、前記ユニットを認証するための第２のサブデータに変換するステップと、
前記データ誤りが検出されなかった場合、前記ユニットを認証するための第２のサブデータを前記電子装置に送信し、前記データ誤りが検出された場合、データ誤りを示すデータを前記電子装置に送信するステップと、
前記電子装置において、前記ユニットから送信される第２のサブデータを受信するステップと、
前記第１のサブデータと前記第２のサブデータを比較し、前記ユニットを認証するステップとを有することを特徴とする認証方法。
【請求項１１】
前記パケットは冗長データを含み、前記検出ステップは、前記冗長データに基づいて、第２のデータ誤り検出を行なうステップを含むことを特徴とする請求項１０に記載の認証方法。
【手続補正２】
【補正対象書類名】明細書
【補正対象項目名】０００９
【補正方法】変更
【補正の内容】
【０００９】
電子装置は、例えば、送信対象のデータを固定長の第１のサブデータへと分割する分割手段と、前記第１のサブデータの終了位置を表すための終了識別子を前記第１のサブデータに付加してパケットを生成する生成手段と、生成された前記パケットを前記ユニットに送信する第１の送信手段と、前記ユニットから送信される第２のサブデータ又はデータ誤りを示すデータを受信する第１の受信手段と、前記第１の受信手段により前記第２のサブデータを受信した場合、前記第１のサブデータと前記第２のサブデータを比較し、前記ユニットの認証処理を実行し、前記第１の受信手段により前記データ誤りを示すデータを受信した場合、前記ユニットの認証処理を実行しない認証手段とを有する。
【手続補正３】
【補正対象書類名】明細書
【補正対象項目名】００１０
【補正方法】変更
【補正の内容】
【００１０】
前記ユニットは、例えば、前記パケットを受信する第２の受信手段と、受信した前記パケットに含まれる終了識別子に基づいて、第１のデータ誤り検出を行なう検出手段と、前記検出手段によってデータ誤りが検出されなかった場合、受信した前記パケットから取り出された第１のサブデータを、前記ユニットを認証するための第２のサブデータに変換するデータ変換手段と、前記検出手段によってデータ誤りが検出されなかった場合、前記ユニットを認証するための前記第２のサブデータを前記電子装置に送信し、前記データ誤りが検出された場合、データ誤りを示すデータを前記電子装置に送信する第２の送信手段とを有する。